(57)【要約】【課題】  プログラマブル発光ダイオード駆動方法の提供。【解決手段】  発光ダイオードの電圧／電流駆動準位の提供端及びスイッチ信号の提供端にプログラマブルな制御を行ない、これにより発光ダイオードを点灯する電圧／電流駆動準位及びスイッチ信号を使用者の必要に基づき多段階の方式で定義できるようにし、発光ダイオードをパネル製造工程に基づき最も有効な駆動プロセスを提供できるものとし、これによりパネルが現出するグレーレベル表示を性能及び感覚上、最適化する。【選択図】        図５
2006195250.tif 000002
【特許請求の範囲】
【請求項１】
プログラマブル発光ダイオード駆動方法において、
３相以上の電圧／電流駆動準位を該発光ダイオードの発光を制御する制御回路に提供するステップ、
発光ダイオードの物理特性に基づき、これらの相の電圧／電流駆動準位のそれぞれの少なくとも三種類の使用モードを決定するステップ、
発光ダイオードの物理特性に基づき、これらの相の電圧／電流駆動準位のそれぞれの使用モードの持続時間を調整するステップ、
を具えたことを特徴とする、プログラマブル発光ダイオード駆動方法。
【請求項２】
請求項１記載のプログラマブル発光ダイオード駆動方法において、
３相以上の電圧／電流駆動準位に対応し、３相以上のスイッチ信号準位を発光ダイオードの発光を制御するスイッチ回路に提供するステップ、
発光ダイオードの物理特性に基づき、各スイッチ信号準位に少なくとも三種類の使用モードを決定するステップ、
発光ダイオードの物理特性に基づき、各スイッチ信号準位のそれぞれの使用モードの持続時間を調整するステップ、
を更に具えたことを特徴とする、プログラマブル発光ダイオード駆動方法。
【請求項３】
請求項２記載のプログラマブル発光ダイオード駆動方法において、５相で且つ放電モード、予充電モード、電流駆動モード及び駆動フローティングモードの四種類の使用モードを包含する電圧／電流駆動準位を提供し、及び５相で且つ電流流入モード、逆バイアスモード及びスイッチフローティングモードの三種類の使用モードを包含するスイッチ信号準位を提供することを特徴とする、プログラマブル発光ダイオード駆動方法。
【請求項４】
請求項１記載のプログラマブル発光ダイオード駆動方法において、電流駆動モードを使用する電圧／電流駆動準位の相の前に、オーバードライビング相の電圧／電流駆動準位を加えることを特徴とする、プログラマブル発光ダイオード駆動方法。
【請求項５】
請求項４記載のプログラマブル発光ダイオード駆動方法において、オーバードライビング相の電圧／電流駆動準位の準位値は電流駆動モードを使用する相の電圧／電流駆動準位の準位値より大きいことを特徴とする、プログラマブル発光ダイオード駆動方法。
【発明の詳細な説明】
【技術分野】
【０００１】
本発明は一種の発光ダイオード駆動方法に係り、特に、プログラマブル発光ダイオード駆動方法に関する。
【背景技術】
【０００２】
有機発光ダイオード（Ｏｒｇａｎｉｃ  Ｌｉｇｈｔ−Ｅｍｉｔｔｉｎｇ  Ｄｉｏｄｅ）の特性は自己発光にあり、薄膜トランジスタ液晶ディスプレイ（ＴＦＴ−ＬＣＤ）とは異なりバックライトモジュールにより光源を提供する必要がない。このため、有機発光ダイオードは可視度と輝度がいずれも高く、電圧要求が低く且つ節電効率が高く、それに加えて反応が速く、重量が軽く、厚さが薄く、構造が簡単で、製造コストが低いため、２１世紀の最も有望な製品の一つと見なされる。
【０００３】
図１は有機発光ダイオードの構造表示図である。この有機発光ダイオード１００の基本構造において、薄く透明で半導体特性を有するＩＴＯ  １１０が電源１２０の正極と接続され、更に、サンドイッチ構造を有する別の金属カソード１３０が設けられている。このサンドイッチ構造は、正孔輸送層（ＨＴＬ）１４０、発光層（ＥＬ）１５０、及び電子注入層（ＥＴＬ）１６０を包含する。電源１２０が電圧を供給する時、正極の正孔とカソードの電荷が発光層１５０中で結合し、光を発生し、その配合の違いが発生する赤、緑、青ＲＧＢ三原色が、基本カラーを構成する。
【０００４】
本発明は有機発光ダイオードの駆動方法に対する発明である。一般に、有機発光ダイオードは暗から明の状態となるのに、その電源は固定された３相の電圧／電流駆動準位を有機発光ダイオードに与える。図２は周知の発光ダイオード回路レイアウト表示図である。図２中、各単位の発光回路２１０、２２０、２３０はいずれも一つの有機発光ダイオード２４０及びコンデンサ２５０を具え、各単位の発光回路２１０、２２０、２３０は同じ電源Ｓを受け取り且つそれぞれスイッチ信号Ｒｏｗ１、Ｒｏｗ２、Ｒｏｗ３を受け取る。
【０００５】
そのうち、発光回路２１０を例に挙げると、発光回路２１０の有機発光ダイオード２４０を暗状態から明状態とするため、電源Ｓは固定された３相（Ｔｈｒｅｅ−Ｐｈａｓｅ）の駆動電圧／電流を提供し、並びにコンデンサ２５０により電位を保存し、コンデンサ２５０が保存する電位が有機発光ダイオード２４０の開始電位に達する時、有機発光ダイオード２４０が発光する。
【０００６】
図３は図２の電源とスイッチ信号の順序表示図である。有機発光ダイオード２４０が暗から明に到る期間に、電源Ｓは３相の異なる駆動電圧／電流準位を提供し、第１相は電源Ｓが放電モードの駆動電圧／電流準位を提供し、その対応するスイッチ信号Ｒｏｗ１は電流流入モードとされ、コンデンサ２５０は放電状態とされる。続いて、第２相では電源Ｓが予充電された駆動電圧／電流準位を提供し、且つ対応するスイッチ信号Ｒｏｗ１は電流流入モードとされ、コンデンサ２５０は予充電の受け取り開始する。最後に第３相で電源Ｓは電流駆動モードの駆動電圧／電流準位を提供し、同様に、このときスイッチ信号Ｒｏｗ１は電流流入モードとされ、コンデンサ２５０の保存する電位を有機発光ダイオード２４０の開始電位に到達させ、これにより有機発光ダイオード２４０が発光する。
【０００７】
これにより上述のメカニズムにより、発光回路２１０の有機発光ダイオード２４０が発光し、このほか、他の発光回路２２０、２３０も有機発光ダイオード２４０に対して図２に示される異なるモードの電源Ｓとスイッチ信号Ｒｏｗ２、Ｒｏｗ３の組合せを提供し、有機発光ダイオード２４０を発光させる。
【０００８】
周知の有機発光ダイオードの固定３相の駆動方法は、予充電サイクルと駆動電圧／電流準位を制限付き調整できるだけであり、その他の各相の作業時間と各相の作業モードは有機発光ダイオードに対応するパネル製造工程の違いにより調整されない。ゆえに、周知の有機発光ダイオードの固定３相の駆動方法は、その提供する３相の駆動電圧／電流準位が異なるパネルの特性に対して有効に調整されない。
【０００９】
図４は周知の有機発光ダイオードの固定３相駆動方法の理想的な電源供給表示図である。理想的な情況にあって、電源３相は順に放電モード、予充電モード、及び電流駆動モードに切り換わり、有機発光ダイオードの電圧／電流駆動準位は予充電モードにあって、直接開始準位に上昇させられる。周知の情況にあって、電源が予充電モードから駆動電流モード期間に切り換わる時、予充電モード、電流駆動モードは有機発光ダイオードが対応する、パネル製造工程特性に対して調整を行なわないため、パネルが代表する負荷が過大である時、駆動電流モードの時間が短か過ぎるか準位が低過ぎる時、電源の駆動電流モードの時間が短過ぎるか或いは準位が低過ぎる影響を受けて、パネル輝度駆動の速度が遅くなり且つパネルが表示するグレーレベル輝度が不良となる。
【００１０】
これを鑑み、本発明は一種のプログラマブル発光ダイオード駆動方法を提供し、パネル製造工程の必要に対して、パネルの輝度駆動速度及びグレースケール表示輝度を最適化できるようにする。
【発明の開示】
【発明が解決しようとする課題】
【００１１】
本発明の主要な目的は、周知の有機発光ダイオードの固定３相の駆動方法のパネル製造工程の必要に対する欠点を改善することにある。この目的を達成するため、本発明は一種のプログラマブル発光ダイオード駆動方法を提供し、この方法では３相以上の電圧／電流駆動準位を発光ダイオードの点滅を制御する制御回路に提供し、及び、発光ダイオードの物理特性に基づき、各相の電圧／電流駆動準位のその各自の使用モードを決定する。
【００１２】
本発明の提供する３相以上の電圧／電流駆動準位は更に少なくとも三種類の使用モードを包含する。
【課題を解決するための手段】
【００１３】
請求項１の発明は、プログラマブル発光ダイオード駆動方法において、
３相以上の電圧／電流駆動準位を該発光ダイオードの発光を制御する制御回路に提供するステップ、
発光ダイオードの物理特性に基づき、これらの相の電圧／電流駆動準位のそれぞれの少なくとも三種類の使用モードを決定するステップ、
発光ダイオードの物理特性に基づき、これらの相の電圧／電流駆動準位のそれぞれの使用モードの持続時間を調整するステップ、
を具えたことを特徴とする、プログラマブル発光ダイオード駆動方法としている。
請求項２の発明は、請求項１記載のプログラマブル発光ダイオード駆動方法において、  ３相以上の電圧／電流駆動準位に対応し、３相以上のスイッチ信号準位を発光ダイオードの発光を制御するスイッチ回路に提供するステップ、
発光ダイオードの物理特性に基づき、各スイッチ信号準位に少なくとも三種類の使用モードを決定するステップ、
発光ダイオードの物理特性に基づき、各スイッチ信号準位のそれぞれの使用モードの持続時間を調整するステップ、
を更に具えたことを特徴とする、プログラマブル発光ダイオード駆動方法としている。
請求項３の発明は、請求項２記載のプログラマブル発光ダイオード駆動方法において、５相で且つ放電モード、予充電モード、電流駆動モード及び駆動フローティングモードの四種類の使用モードを包含する電圧／電流駆動準位を提供し、及び５相で且つ電流流入モード、逆バイアスモード及びスイッチフローティングモードの三種類の使用モードを包含するスイッチ信号準位を提供することを特徴とする、プログラマブル発光ダイオード駆動方法としている。
請求項４の発明は、請求項１記載のプログラマブル発光ダイオード駆動方法において、電流駆動モードを使用する電圧／電流駆動準位の相の前に、オーバードライビング相の電圧／電流駆動準位を加えることを特徴とする、プログラマブル発光ダイオード駆動方法としている。
請求項５の発明は、請求項４記載のプログラマブル発光ダイオード駆動方法において、オーバードライビング相の電圧／電流駆動準位の準位値は電流駆動モードを使用する相の電圧／電流駆動準位の準位値より大きいことを特徴とする、プログラマブル発光ダイオード駆動方法としている。
【発明の効果】
【００１４】
本発明の提供するプログラマブル発光ダイオード駆動方法は、発光ダイオードの電圧／電流駆動準位の提供端及びスイッチ信号の提供端にプログラマブルな制御を行ない、これにより発光ダイオードを点灯する電圧／電流駆動準位及びスイッチ信号を使用者の必要に基づき多段階の方式で定義でき、発光ダイオードをパネル製造工程に基づき最も有効な駆動プロセスを提供できるものとし、これによりパネルが現出するグレーレベル表示を性能及び感覚上、最適化する。
【発明を実施するための最良の形態】
【００１５】
本発明は一種のプログラマブル発光ダイオード駆動方法を提供し、この方法では３相以上の電圧／電流駆動準位を発光ダイオードの点滅を制御する制御回路に提供し、及び、発光ダイオードの物理特性に基づき、各相の電圧／電流駆動準位のその各自の使用モードを決定する。
【００１６】
本発明の提供する３相以上の電圧／電流駆動準位は更に少なくとも三種類の使用モードを包含する。
【００１７】
本発明の好ましい実施例では、５相の電圧／電流駆動準位を提供する。この五相の電圧／電流駆動準位は更に四種類の使用モード、例えば放電モード、予充電モード、電流駆動モード、及びフローティングモードを包含する。
【００１８】
本発明の好ましい実施例では、５相のスイッチ信号準位を提供する。この５相のスイッチ信号準位は電流流入モード、逆バイアスモード、及びフローティングモードの三種類の使用モードを有する。
【実施例１】
【００１９】
図５は本発明の好ましい実施例の発光ダイオードの電流流入モード及びスイッチ信号の順序表示図である。有機発光ダイオードの固定３相の駆動方法を使用してパネル製造の必要に対応できるようにするため、本発明では特に発光ダイオードの電源端にあって、パネル製造の必要に対して、プログラムされた３相以上の電圧／電流駆動準位を提供し、その電源端にあってプログラマブルチップを利用して電源の出力電圧を制御する。
【００２０】
これにより、図５にあって、発光ダイオードが暗から明に到る期間（例えばＤａｔａｌ期間）の電圧／電流駆動準位は５相に分割されて実施され、それに対応するスイッチ信号もまた５相に分割されて実施される。
【００２１】
そのうち、電圧／電流駆動準位の分割された５相（ＳＰ１〜ＳＰ５）は放電モード、予充電モード、電流駆動モード、フローティングモードの四種類の使用モードを有し得る。スイッチ信号の分割された５相（ＲＰ１〜ＲＰ５）は放電モード、逆バイアスモード、及びフローティングモードの三種類の使用モードを有する。
【００２２】
各相はプログラム可能で、これにより使用者は自分で必要に応じて各相の使用モード、各相の持続時間を設定できる。本発明の好ましい実施例では、１６ビットを代表するレジスタセットにより各相の使用モード及び持続時間が定義される。
【００２３】
例えば、１６ビット中の第８〜第１０ビット（Ｂｉｔ〔８：１０〕）によりＳＰ１〜ＳＰ５相のどれを設定するかを選択し、第６から第７ビット（Ｂｉｔ〔７：６〕）によりどの種類の使用モードかを設定し、第０〜第５ビットによりモードの持続時間を定義する（６個のビットは０〜６４個のシステムクロックをプログラムできる）。
【００２４】
図６は本発明の実施例の５組のレジスタで代表される発光ダイオードの電圧／電流駆動準位の分割された５相の表示図である。図６中、各一組のレジスタは８ビットを代表し、且つ５組のレジスタで発光ダイオードの電圧／電流駆動準位の分割された５相（ＳＰ１〜ＳＰ５）が代表される。そのうち、第６〜第７ビットはどの種類のモードを使用するかを定義し、且つ定義は以下のようである。
Ｂｉｔ〔７：６〕＝０，０＝放電モード
＝０，１＝予充電モード
＝１，０＝電流駆動モード
＝１，１＝フローティングモード
そして、第０〜第５ビットはモードの持続時間を定義する。最後に、これらのレジスタセットに基づき定義された発光ダイオードは、その電圧／電流駆動準位が５相の使用モードとその持続時間に分割される。図７は本発明の好ましい実施例の発光ダイオードの電圧／電流駆動準位の波形図である。図７にあって、電圧／電流駆動準位は放電モードが５個のクロック持続し、予充電モードが８個のクロック持続し、電流駆動モードが６４個のクロック持続し、放電モードが一つのクロック持続し、フローティングモードが一つのクロック持続する。
【００２５】
図６の発光ダイオードの電圧／電流駆動準位の５相の定義に対応し、発光ダイオードが受信するスイッチ信号は発光ダイオードが動作情況にあるか或いは非動作情況にあるかにより、分割される相上にあって異なる設定を有する。
【００２６】
図８は本発明の好ましい実施例の、発光ダイオードが動作情況にあり、５組のレジスタが代表する５相に分割された発光ダイオードのスイッチ信号の表示図である。図８中、各一組のレジスタは同様に８ビットを代表し、且つ同様に５組のレジスタが発光ダイオードのスイッチ信号を分割した５相（ＲＰ１〜ＲＰ５）を代表する。そのうち、第６〜第７ビットはどの種類のモードかを定義し、且つ定義は以下のとおりである。
Ｂｉｔ〔７：６〕＝０，０＝電流流入モード
＝０，１＝逆バイアスモード
＝１，０＝フローティングモード
第０〜第５ビットはモードの持続時間を定義する。
【００２７】
発光ダイオードが非動作情況にある時、図６の定義に対応し、そのスイッチ信号の各相の設定は図９のようになり、図９は発光ダイオードが非動作情況にある時、５組のレジスタ（それぞれ８ビット）が代表する発光ダイオードのスイッチ信号が分割された５相（ＲＰ１〜ＲＰ５）の定義を示し、図８の定義と同じであるが、各相の設定値はダイオードの非動作情況下で設定され図８のものとは異なる。
【００２８】
これにより、本発明の好ましい実施例にあって、図６、８及び図９に対応し最後に実現される波形は図１０に示されるとおりであり、図１０は本発明の実施例のスイッチ信号波形表示図である。図１０中、スイッチ信号Ｒｏｗ０は順に発光ダイオードが動作情況、非動作情況、及び非動作情況となり、且つ発光ダイオードが動作情況期間にあって、更に順に５相（ＲＰ１〜ＲＰ５）を経て、それは、それぞれ電流駆動モードで６個のクロックを経て（ＲＰ１）、電流流入モードで９個のクロックを経て（ＲＰ２）、電流流入モードで６４個のクロックを経て（ＲＰ３）、電流流入モードで一つのクロックを経て（ＲＰ４）、逆バイアスモードで一つのクロック（ＲＰ５）を経る。
【００２９】
同様に、図６、８に対応して図１０のスイッチ信号（Ｒｏｗ１或いはＲｏｗ２）が異なる情況下での各相の設定モードとその持続時間が得られる。
【００３０】
ゆえに、プログラマブルで発光ダイオードの多相定義を改変できる電圧／電流駆動準位及びスイッチ信号により、異なる要求のパネルに対して、各相の電圧／電流駆動準位及びスイッチ信号定義及び持続時間を調整でき、これにより発光ダイオードを更に急速に点灯及び滅灯させることができ、これにより大幅にパネル輝度駆動の速度をアップできる。
【００３１】
このほか、パネルグレーレベル表示の性能を向上するため、電圧／電流駆動準位にあってえ電流駆動モードを使用する前に短時間のオーバードライビング相（Ｏｖｅｒ−Ｄｒｉｖｉｎｇ  ｐｈａｓｅ）を加入可能である。
【００３２】
図１１を参照されたい。図１１は本発明の実施例の別の電圧／電流駆動準位の順序表示図である。図１１において、第３相（ＳＰ３）は電流駆動モードを使用するものとされ、且つ特に第３相（ＳＰ３）の前にオーバードライビング相が加えられている。すなわち、電圧／電流駆動準位が電流駆動モードを使用する前に、短時間の、電流駆動モードの電流準位より大きな駆動電流が提供されて、発光ダイオードの電圧／電流駆動準位が電流駆動モード相を使用する時に、正確にその必要な電流値を提供できるものとされ、これによりその電圧／電流駆動準位の波形図が理想に接近する。
【００３３】
図１２は周知の電圧／電流駆動準位と本発明の電圧／電流駆動準位の波形比較図である。図１２から分かるように、電圧／電流駆動準位が電流駆動モード相となる前にオーバードライビング相が加えられ、且つオーバードライビング相が提供する電圧／電流駆動準位が予充電モード相の電圧／電流駆動準位を急速に理想準位に上昇させ、これにより、電圧／電流駆動準位は電流駆動モード相において、理想準位の基礎の下で続行され、周知の電圧／電流駆動準位が予充電モード相末期に下降し、且つ周知の電圧／電流駆動準位が電流駆動モード相の時に、理想準位より低くなる基礎下で続行されることがない。
【００３４】
これにより、本発明が提供する電圧／電流駆動準位は、発光ダイオードを正確に発光させ、且つ発光ダイオードが発光させられる過程では、瞬間的に点灯される感覚を与え、周知のように徐々に明るくなる情況とは異なる。
【００３５】
以上の実施例は本発明の範囲を限定するものではなく、本発明に基づきなしうる細部の修飾或いは改変は、いずれも本発明の請求範囲に属するものとする。
【図面の簡単な説明】
【００３６】
【図１】周知の有機発光ダイオードの構造表示図である。
【図２】周知の発光ダイオード回路レイアウト表示図である。
【図３】図２の電源とスイッチ信号の順序表示図である。
【図４】周知の有機発光ダイオードの固定三相駆動方法の理想的な電源供給表示図である。
【図５】本発明の好ましい実施例の発光ダイオードの電流流入モード及びスイッチ信号の順序表示図である。
【図６】本発明の実施例の５組のレジスタで代表される発光ダイオードの電圧／電流駆動準位の分割された５相の表示図である。
【図７】本発明の好ましい実施例の発光ダイオードの電圧／電流駆動準位の波形図である。
【図８】本発明の好ましい実施例の、発光ダイオードが動作情況にあり、５組のレジスタが代表する５相に分割された発光ダイオードのスイッチ信号の表示図である。
【図９】本発明の発光ダイオードが非動作情況にある時、５組のレジスタ（それぞれ８ビット）が代表する発光ダイオードのスイッチ信号の５相（ＲＰ１〜ＲＰ５）表示図である。
【図１０】本発明の実施例のスイッチ信号波形表示図である。
【図１１】本発明の実施例の別の電圧／電流駆動準位の順序表示図である。
【図１２】周知の電圧／電流駆動準位と本発明の電圧／電流駆動準位の波形比較図である。
【符号の説明】
【００３７】
１００  有機発光ダイオード
１１０  ＩＴＯ
１２０  電源
１３０  金属カソード
１４０  正孔輸送層
１５０  発光層
１６０  電子注入層
２１０、２２０、２３０  発光回路
２４０  有機発光ダイオード
２５０  コンデンサ
【図１】
2006195250.tif 000003
【図２】
2006195250.tif 000004
【図３】
2006195250.tif 000005
【図４】
2006195250.tif 000006
【図５】
2006195250.tif 000007
【図６】
2006195250.tif 000008
【図７】
2006195250.tif 000009
【図８】
2006195250.tif 000010
【図９】
2006195250.tif 000011
【図１０】
2006195250.tif 000012
【図１１】
2006195250.tif 000013
【図１２】
2006195250.tif 000014